(57)【要約】【課題】突出部に当たって跳ね返った水がケース内に浸入することを防止できる電気接続箱用のケースを提供する。【解決手段】電気接続箱１０のケース１は、合成樹脂製のケース本体２、アッパカバー３及びロアカバー４を有している。ケース本体２とアッパカバー３との合わせ部近傍には、ケース本体２の外面から突出した車体固定用のブラケット６が設けられている。ブラケット６には、水抜き用の貫通孔６ａが複数設けられている。また、複数の貫通孔６ａは、ブラケット６の全域に設けられている。このようなケース１においては、ブラケット６に吹き付けられた水が、跳ね返ることなく貫通孔６ａを通って下に落ちるので、ケース１内に水が浸入することを防止できる。【選択図】図１
2014108038.tif 000002
【特許請求の範囲】
【請求項１】
ケース本体と、該ケース本体の開口部を覆うカバーと、を有する電気接続箱用のケースにおいて、
前記ケース本体と前記カバーとの合わせ部近傍に、前記ケース本体の外面又は前記カバーの外面から突出した突出部が設けられ、
前記突出部に、水抜き用の貫通孔が設けられている
ことを特徴とするケース。
【請求項２】
前記貫通孔が、前記突出部の全域に複数設けられている
ことを特徴とする請求項１に記載のケース。
【請求項３】
前記突出部が、ワイヤハーネスの電線が通される挿通部を含む
ことを特徴とする請求項１又は請求項２に記載のケース。
【請求項４】
前記突出部が、被固定部にボルトで固定されるブラケットを含む
ことを特徴とする請求項１ないし請求項３のうちいずれか１項に記載のケース。
【発明の詳細な説明】
【技術分野】
【０００１】
本発明は、自動車に搭載される電気接続箱用のケースに関するものである。
【背景技術】
【０００２】
自動車には電気接続箱が搭載されている。電気接続箱は様々な構造のものがあるが、例えば特許文献１に開示されているように、ケース本体と、該ケース本体の上側の開口部を覆うアッパカバーと、ケース本体の下側の開口部を覆うロアカバーと、を有するケースを備えたものがある。このケースにおいては、ケース本体とアッパカバーとの合わせ部近傍、及び、ケース本体とロアカバーとの合わせ部近傍に、車体固定用のブラケットが設けられている。
【先行技術文献】
【特許文献】
【０００３】
【特許文献１】特開２０１１−１４７３２７号公報
【発明の概要】
【発明が解決しようとする課題】
【０００４】
上記ブラケットは電気接続箱用のケースに不可欠なものであり、省くことはできないが、前記ケースに高圧水（例えば高圧洗浄水等）が吹き付けられた場合、ブラケットに当たって跳ね返った水が、ケース本体とアッパカバーとの間、または、ケース本体とロアカバーとの間からケース内に浸入してしまうという問題があった。
【０００５】
また、電気接続箱用のケースには、ブラケットだけでなく、ワイヤハーネスの電線が通される挿通部や、ワイヤハーネス固定部等の様々な突出部が設けられている。これら突出部がケース本体とアッパカバーとの合わせ部近傍、及び、ケース本体とロアカバーとの合わせ部近傍に設けられている場合、上述したブラケットと同様に、突出部に当たって跳ね返った水がケース内に浸入してしまうという問題があった。
【０００６】
したがって、本発明は、突出部に当たって跳ね返った水がケース内に浸入することを防止できる電気接続箱用のケースを提供することを目的とする。
【課題を解決するための手段】
【０００７】
上記目的を達成するために請求項１に記載された発明は、ケース本体と、該ケース本体の開口部を覆うカバーと、を有する電気接続箱用のケースにおいて、前記ケース本体と前記カバーとの合わせ部近傍に、前記ケース本体の外面又は前記カバーの外面から突出した突出部が設けられ、前記突出部に、水抜き用の貫通孔が設けられていることを特徴とするケースである。
【０００８】
請求項２に記載された発明は、請求項１に記載された発明において、前記貫通孔が、前記突出部の全域に複数設けられていることを特徴とするものである。
【０００９】
請求項３に記載された発明は、請求項１又は請求項２に記載された発明において、前記突出部が、ワイヤハーネスの電線が通される挿通部を含むことを特徴とするものである。
【００１０】
請求項４に記載された発明は、請求項１ないし請求項３のうちいずれか１項に記載された発明において、前記突出部が、被固定部にボルトで固定されるブラケットを含むことを特徴とするものである。
【発明の効果】
【００１１】
請求項１に記載された発明によれば、前記ケース本体と前記カバーとの合わせ部近傍に、前記ケース本体の外面又は前記カバーの外面から突出した突出部が設けられ、前記突出部に、水抜き用の貫通孔が設けられているので、突出部に吹き付けられた水が跳ね返ることなく貫通孔を通って下に落ちる。よって、前記水がケース内に浸入することを防止することができる。
【００１２】
請求項２に記載された発明によれば、前記貫通孔が、前記突出部の全域に複数設けられているので、突出部に吹き付けられた水が跳ね返ることをより一層防止でき、前記水がケース内に浸入することをより一層防止することができる。
【００１３】
請求項３に記載された発明によれば、前記突出部が、ワイヤハーネスの電線が通される挿通部を含むので、該挿通部に吹き付けられた水が跳ね返ることなく貫通孔を通って下に落ちる。よって、前記水がケース内に浸入することを防止することができる。
【００１４】
請求項４に記載された発明によれば、前記突出部が、被固定部にボルトで固定されるブラケットを含むので、該ブラケットに吹き付けられた水が跳ね返ることなく貫通孔を通って下に落ちる。よって、前記水がケース内に浸入することを防止することができる。
【図面の簡単な説明】
【００１５】
【図１】本発明の第１の実施形態にかかる電気接続箱用のケースの斜視図である。
【図２】図１に示されたケース本体の斜視図である。
【図３】図２に示されたケース本体の平面図である。
【図４】図３に示されたブラケットの拡大図である。
【図５】図３に示された挿通部分割片の拡大図である。
【図６】図３に示されたロック受け部の拡大図である。
【図７】本発明の第２の実施形態にかかる電気接続箱用のケースの斜視図である。
【図８】図７に示されたワイヤハーネス固定部の拡大図である。
【発明を実施するための形態】
【００１６】
（第１の実施形態）
本発明の第１の実施形態にかかる電気接続箱用のケースを図１〜６を参照して説明する。また、電気接続箱は、自動車に搭載されて、前記自動車に搭載された電子機器に対して電力供給及び信号伝達を行うものである。
【００１７】
上記電気接続箱用のケース１は、図１に示すように、複数の部品が取り付けられるケース本体２と、アッパカバー３（請求項中の「カバー」に相当する。）と、ロアカバー４（請求項中の「カバー」に相当する。）と、を有している。これらケース本体２、アッパカバー３、ロアカバー４は、合成樹脂で構成されている。
【００１８】
上記ケース本体２は、図２，３に示すように、外壁をなす筒状の周壁２１と、周壁２１の内側を仕切る隔壁２２と、周壁２１の外面から突出した挿通部分割片５と、を有している。
【００１９】
上記アッパカバー３は、周壁２１の上端に囲まれた開口部２０ａを覆うものである。
【００２０】
上記ロアカバー４は、周壁２１の下端に囲まれた開口部２０ｂを覆うものである。ロアカバー４は、図示しない挿通部分割片と、車体パネルに固定されるブラケット４４と、を有している。また、ケース本体２の挿通部分割片５とロアカバー４の挿通部分割片とは、重ね合わされて筒状の「挿通部」を構成する。挿通部には、ワイヤハーネスの電線が通される。
【００２１】
ケース本体２とアッパカバー３との合わせ部近傍には、車体パネルに固定されるブラケット６と、ケース本体２とアッパカバー３とを固定するためのロック部８及びロック受け部７と、が設けられている。これらブラケット６、ロック部８及びロック受け部７は、請求項中の「突出部」に相当する。
【００２２】
上記ブラケット６は、図４に示すように、周壁２１の外面から突出しており、周壁２１から離れた先端部分にボルト挿通孔６１が設けられている。また、ブラケット６のボルト挿通孔６１が設けられた部分を除く全域には、複数の水抜き用の貫通孔６ａが設けられている。
【００２３】
上述したように、本発明の「突出部」には、本来の機能を奏するために「水抜き用の貫通孔」を形成できない部分がある。ブラケット６においては、ボルト挿通孔６１がそれに該当する。本発明において、「突出部の全域」とは、この貫通孔を形成できない部分を除いた全域である。
【００２４】
また、本発明において、「水抜き用の貫通孔」とは、ケース１が車体に取り付けられた状態で上下方向に延びた貫通孔であり、その内部に水が溜まることなくスムーズに排水される程度の大きさに形成された貫通孔を意味する。
【００２５】
上記ロック部８は、アッパカバー３の外面から突出している。ロック部８には、ロックアームが設けられている。このロックアームとアッパカバー３の外面との間には、空間、すなわち水抜き用の貫通孔８ａが設けられている。
【００２６】
上記ロック受け部７は、図６に示すように、周壁２１の外面から突出している。ロック受け部７には、周壁２１と対向した板部７０と、板部７０の内面から突出した突起７１と、板部７０の両端を周壁２１と繋いだ一対の連結部７２と、が設けられている。
突起７１には、ロック部８のロックアームが係止する。また、板部７０と周壁２１との間には、空間、すなわち水抜き用の貫通孔７ａが設けられている。
【００２７】
上記貫通孔７ａ，８ａは、ロック部８とロック受け部７とが互いに係止した状態でも、当然、水抜き用の貫通孔として機能する。
【００２８】
ケース本体２とロアカバー４との合わせ部近傍には、ケース本体２とロアカバー４とを固定するためのロック部４３及びロック受け部２３と、上述した挿通部と、が設けられている。この挿通部は、請求項中の「突出部」に相当する。そして、挿通部を構成する挿通部分割片５には、図５に示すように、複数の水抜き用の貫通孔５ａが設けられている。
【００２９】
上述したケース１においては、ケース本体２とアッパカバー３との合わせ部近傍及びケース本体２とロアカバー４との合わせ部近傍に設けられたブラケット６、ロック部８、ロック受け部７、挿通部分割片５に、水抜き用の貫通孔６ａ，８ａ，７ａ，５ａが設けられているので、当該ケース１に高圧洗浄水等の高圧水が吹き付けられた際に、高圧水がブラケット６、ロック部８、ロック受け部７、挿通部分割片５に跳ね返ることなく貫通孔６ａ，８ａ，７ａ，５ａを通って下に落ちる。よって、水がケース１内に浸入することを防止することができる。
【００３０】
（第２の実施形態）
本発明の第２の実施形態にかかる電気接続箱用のケースを図７，８を参照して説明する。また、図７，８において、前述した第１の実施形態と同一構成部分には同一符号を付して説明を省略する。
【００３１】
上記電気接続箱用のケース１０１は、図７に示すように、複数の部品が取り付けられるケース本体１０２と、アッパカバー１０３（請求項中の「カバー」に相当する。）と、ロアカバー１０４（請求項中の「カバー」に相当する。）と、を有している。これらケース本体１０２、アッパカバー１０３、ロアカバー１０４は、合成樹脂で構成されている。
【００３２】
ケース本体１０２とアッパカバー１０３との合わせ部近傍には、ケース本体１０２とアッパカバー１０３とを固定するためのロック部８及びロック受け部７と、が設けられている。これらロック部８及びロック受け部７には、第１の実施形態と同様に、水抜き用の貫通孔８ａ，７ａが設けられている。
【００３３】
ケース本体１０２とロアカバー１０４との合わせ部近傍には、ワイヤハーネス固定部９が設けられている。ワイヤハーネス固定部９は、図８に示すように、ロアカバー１０４の外面から突出しており、ロアカバー１０４の外面から離れた先端部にクリップ挿入孔９１が設けられている。クリップ挿入孔９１は、ワイヤハーネスの電線束に一体化されたクリップ（結束バンドやハーネスプロテクタ等に一体形成されているものや、電線束にテープ巻き固定されたものがある。）が圧入固定される孔である。また、ワイヤハーネス固定部９のクリップ挿入孔９１が設けられた部分を除く全域には、複数の水抜き用の貫通孔９ａが設けられている。
【００３４】
上述したケース１０１においては、ケース本体１０２とアッパカバー１０３との合わせ部近傍及びケース本体１０２とロアカバー１０４との合わせ部近傍に設けられたロック部８、ロック受け部７、ワイヤハーネス固定部９に、水抜き用の貫通孔８ａ，７ａ，９ａが設けられているので、当該ケース１０１に高圧洗浄水等の高圧水が吹き付けられた際に、高圧水がロック部８、ロック受け部７、ワイヤハーネス固定部９に跳ね返ることなく貫通孔８ａ，７ａ，９ａを通って下に落ちる。よって、水がケース１０１内に浸入することを防止することができる。
【００３５】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００３６】
１，１０１  ケース
２，１０２  ケース本体
３，１０３  アッパカバー（カバー）
４，１０４  ロアカバー（カバー）
５  挿通部分割片（突出部）
５ａ  貫通孔
６  ブラケット（突出部）
６ａ  貫通孔
７  ロック受け部（突出部）
７ａ  貫通孔
８  ロック部（突出部）
８ａ  貫通孔
９  ワイヤハーネス固定部（突出部）
９ａ  貫通孔
２０ａ，２０ｂ  開口部
【図１】
2014108038.tif 000003
【図２】
2014108038.tif 000004
【図３】
2014108038.tif 000005
【図４】
2014108038.tif 000006
【図５】
2014108038.tif 000007
【図６】
2014108038.tif 000008
【図７】
2014108038.tif 000009
【図８】
2014108038.tif 000010